(57)【要約】【課題】所定の設定に係る設定量の指標を示す指標表示部をユーザの好みにあった向きで表示する撮像装置を提供する。【解決手段】撮像装置１の設定に係る設定量の度合いを認識するための指標と、設定量の度合いとを表示する表示部１２０と、表示部１２０に表示する指標の向きを変更する制御回路１０１とを撮像装置１は有する。【選択図】図２
2009014835.tif 000002
【特許請求の範囲】
【請求項１】
撮像装置の設定に係る設定量の度合いを認識するための指標と、前記設定量の度合いとを表示する指標表示部と、
前記指標表示部に表示する指標の向きを変更する指標向き変更手段とを備えることを特徴とする撮像装置。
【請求項２】
請求項１に記載の撮像装置において、
前記撮像装置の姿勢を検出する姿勢検出手段を備え、
前記指標向き変更手段は、前記姿勢検出手段によって検出した撮像装置の姿勢に基づいて、前記指標表示部に表示する指標の向きを変更することを特徴とする撮像装置。
【請求項３】
請求項１に記載のカメラにおいて、
前記撮像装置が横位置のときの前記指標表示部に表示する指標の向きと、前記撮像装置が縦位置のときの前記指標表示部に表示する指標の向きとを設定する指標設定手段を備え、
前記指標向き変更手段は、前記姿勢検出手段によって前記撮像装置の横位置の姿勢を検出したとき、前記指標表示部に表示する指標の向きを、前記指標設定手段で設定された前記撮像装置が横位置のときの指標の向きにし、前記姿勢検出手段によって前記撮像装置の縦位置の姿勢を検出したとき、前記指標表示部に表示する指標の向きを、前記指標設定手段で設定された前記撮像装置が縦位置のときの指標の向きにすることを特徴とする撮像装置。
【請求項４】
請求項２または３に記載の撮像装置において、
複数の指標表示部を備え、
前記指標向き変更手段は、前記複数の指標表示部の中で、撮影レンズへの入射光軸に垂直な面内に設けられた指標表示部のみについて、前記姿勢検出手段によって検出した撮像装置の姿勢に基づいて、前記指標表示部に表示する指標の向きを変更することを特徴とする撮像装置。
【請求項５】
請求項１乃至４に記載の撮像装置において、
前記指標表示部は、セグメント方式の表示器であり、
前記指標の向きをプラスとマイナスで規定し、
前記指標の向きを表す指標向き表示部を有し、
前記指標向き表示部は３セグメントおよび４セグメントの少なくとも一方で構成され、
前記指標向き表示部の構成が３セグメントの場合、３セグメントでプラスを表示し、１セグメントでマイナスを表示し、
前記指標向き表示部の構成が４セグメントの場合、４セグメントでプラスを表示し、２セグメントでマイナスおよび縦棒を表示することを特徴とする撮像装置。
【請求項６】
請求項５に記載の撮像装置において、
複数の指標表示部を備える場合、撮影レンズへの入射光軸に垂直な面内に設けられた指標表示部における指標向き表示部は、４セグメントで構成されることを特徴とする撮像装置。
【請求項７】
請求項１乃至６に記載の撮像装置において、
前記指標表示部は、露出インジケータであることを特徴とする撮像装置。
【発明の詳細な説明】
【技術分野】
【０００１】
本発明は、指標表示部を備えた撮像装置に関する。
【背景技術】
【０００２】
従来から、カメラの露出補正に関する露出関連情報、あるいは手動で設定された露出と適正露出との差に関する露出関連情報を表示する露出補正インジケータを備えたカメラが知られている（たとえば、特許文献１参照）。
【特許文献１】特開平１１−９５３０４号公報
【発明の開示】
【発明が解決しようとする課題】
【０００３】
特許文献１に記載のカメラでは、露出補正インジケータのプラス方向とマイナス方向とが固定されている。ユーザによっては、カメラに固定されている露出インジケータのプラス方向とマイナス方向とに対して違和感を覚える場合がある。
【課題を解決するための手段】
【０００４】
（１）請求項１の発明の撮像装置は、撮像装置の設定に係る設定量の度合いを認識するための指標と、設定量の度合いとを表示する指標表示部と、指標表示部に表示する指標の向きを変更する指標向き変更手段とを備えることを特徴とする。
（２）請求項２の発明は、請求項１に記載の撮像装置において、撮像装置の姿勢を検出する姿勢検出手段を備え、指標向き変更手段は、姿勢検出手段によって検出した撮像装置の姿勢に基づいて、指標表示部に表示する指標の向きを変更することを特徴とする。
（３）請求項３の発明は、請求項１に記載のカメラにおいて、撮像装置が横位置のときの指標表示部に表示する指標の向きと、撮像装置が縦位置のときの指標表示部に表示する指標の向きとを設定する指標設定手段を備え、指標向き変更手段は、姿勢検出手段によって撮像装置の横位置の姿勢を検出したとき、指標表示部に表示する指標の向きを、指標設定手段で設定された撮像装置が横位置のときの指標の向きにし、姿勢検出手段によって撮像装置の縦位置の姿勢を検出したとき、指標表示部に表示する指標の向きを、指標設定手段で設定された撮像装置が縦位置のときの指標の向きにすることを特徴とする。
（４）請求項４の発明は、請求項２または３に記載の撮像装置において、複数の指標表示部を備え、指標向き変更手段は、複数の指標表示部の中で、撮影レンズへの入射光軸に垂直な面内に設けられた指標表示部のみについて、姿勢検出手段によって検出した撮像装置の姿勢に基づいて、指標表示部に表示する指標の向きを変更することを特徴とする。
（５）請求項５の発明は、請求項１乃至４に記載の撮像装置において、指標表示部は、セグメント方式の表示器であり、指標の向きをプラスとマイナスで規定し、指標の向きを表す指標向き表示部を有し、指標向き表示部は３セグメントおよび４セグメントの少なくとも一方で構成され、指標向き表示部の構成が３セグメントの場合、３セグメントでプラスを表示し、１セグメントでマイナスを表示し、指標向き表示部の構成が４セグメントの場合、４セグメントでプラスを表示し、２セグメントでマイナスおよび縦棒を表示することを特徴とする。
（６）請求項６の発明は、請求項５に記載の撮像装置において、複数の指標表示部を備える場合、撮影レンズへの入射光軸に垂直な面内に設けられた指標表示部における指標向き表示部は、４セグメントで構成されることを特徴とする。
（７）請求項７の発明は、請求項１乃至６に記載の撮像装置において、指標表示部は、露出インジケータであることを特徴とする。
【発明の効果】
【０００５】
本発明によれば、撮像装置の設定に係る設定量の度合いを認識するための指標の向きを変更することができる。したがって、ユーザの好みにあった指標の向きで指標を表示することができる。
【発明を実施するための最良の形態】
【０００６】
−第１の実施形態−
以下、図面を参照して本発明の第１の実施形態について説明する。図１（ａ）は、本発明の一実施の形態による撮像装置１Ａを背面から見た撮像装置１Ａの外観図であり、図１（ｂ）は、ななめ上方から見た撮像装置１Ａの外観図である。撮像装置１Ａの正面には撮影レンズ１１１Ａが設けられている。撮像装置１Ａの背面には、液晶パネル１２１と、ファインダ１１６と、背面表示パネル１２４と、マルチセレクタ１０３Ａと、メニューボタン１０３Ｂと、メインコマンドダイヤル１０３Ｃとが設けられている。撮像装置１Ａの内部にはファインダ内表示パネル１２３が設けられている。ファインダ１１６をのぞくと、図６に示すように、ファインダ視野１１６Ａの周囲にファインダ内表示パネル１２３が見える。撮像装置１Ａの上面には、上面表示パネル１２２と、レリーズボタン１０３Ｄと、露出モードボタン１０３Ｅと、露出補正ボタン１０３Ｆと、サブコマンドダイヤル１０３Ｇとが設けられている。
【０００７】
撮像装置１Ａに設けられた表示器について説明する。液晶パネル１２１は、後述する撮像素子１１４により撮像された被写体像を表示したり、メモリカードに記録されている画像を表示したりする。また、撮像装置１Ａの各種設定を行うためのメニュー画面を表示する。上面表示パネル１２２と、ファインダ内表示パネル１２３と、背面表示パネル１２４とは、撮像装置１Ａにおけるシャッタスピードや絞り値などの設定状態を表示する。また、上面表示パネル１２２と、ファインダ内表示パネル１２３とには、シャッタスピードの設定、絞り値の設定、露出補正などを手動で行うときの指標を示す露出インジケータが表示される。露出インジケータの詳細については後述する。
【０００８】
撮像装置１Ａに設けられた操作部について説明する。レリーズボタン１０３Ｄを押圧すると撮影動作が行われる。メニューボタン１０３Ｂを押圧すると、設定メニューが表示モニタ１２１に表示される。設定メニューに表示される項目をマルチセレクタ１０３Ａの押圧操作で選択することによって、撮像装置１Ａの各種設定を行うことができる。メインコマンドダイヤル１０３Ｃを回動操作すると、シャッタスピードを変更することができる。サブコマンドダイヤル１０３Ｇを回動操作すると、絞り値を変更することができる。メインコマンドダイヤル１０３Ｃを回動操作すると、露出補正を行うことができる。露出補正とは、撮像装置１Ａが制御する適正露出値を意図的に変更することをいう。
【０００９】
図２は、撮像装置１Ａの構成を説明するブロック図である。図２において撮像装置１Ａは、撮像部１１０と、表示部１２０と、ＣＰＵ１０１Ａなどを含む制御回路１０１と、メモリ１０２と、操作部１０３と、外部インターフェイス（Ｉ／Ｆ）回路１０４と、測光装置１０５とを備え、着脱可能なメモリカード１５０が実装される。
【００１０】
ＣＰＵ１０１Ａは、制御プログラムに基づいて、撮像装置内各部から入力される信号を用いて所定の演算を行うなどして、撮像装置内各部に対する制御信号を送出することにより、撮像装置１Ａの撮影動作および投影動作をそれぞれ制御する。なお、制御プログラムはＣＰＵ１０１Ａ内の不図示のＲＯＭに格納される。
【００１１】
メモリ１０２はＣＰＵ１０１Ａの作業用メモリとして使用される。操作部１０３はレリーズボタン１０３Ｄなどを含み、操作されたボタンやダイヤルに対応する操作信号をＣＰＵ１０１Ａへ送出する。メモリカード１５０は、ＣＰＵ１０１Ａの指示によりデータの書き込み、保存および読み出しが可能である。
【００１２】
外部インターフェイス回路１０４は、制御回路１０１からの指示により不図示のケーブルを介して外部機器（パーソナルコンピュータ、クレードルなど）との間でコマンドおよびデータを送受信する。
【００１３】
測光装置１０５は、測光センサによる検出信号を用いて被写体の輝度を算出し、輝度情報をＣＰＵ１０１Ａへ送出する。ＣＰＵ１０１Ａは輝度情報に基づき露出演算を行い、適正露出値を算出する。
【００１４】
撮像部１１０は、撮像光学系１１１、絞り１１２、シャッタ１１３、撮像素子１１４および撮像制御回路１１５を有し、ＣＰＵ１０１Ａからの指示に応じて被写体の撮像を行う。撮像光学系１１１は、撮像素子１１４の撮像面上に被写体像を結像させる。撮像素子１１４としては、ＣＣＤやＣＭＯＳ撮像素子などが用いられる。撮像制御回路１１５は、ＣＰＵ１０１Ａからの指示により撮像素子１１４を駆動制御するとともに、撮像素子１１４から出力される画像信号に対して所定の信号処理を行う。信号処理後の画像のデータは、所定形式の画像ファイルとしてメモリカード１５０に記録される。絞り１１２は、ＣＰＵ１０１Ａからの指示により所定の開口度で絞り込まれる。シャッタ１１３は、ＣＰＵ１０１Ａからの指示によりシャッタを開閉する。
【００１５】
表示部１２０は、上述の液晶パネル１２１と、上面表示パネル１２２と、ファインダ内表示パネル１２３と、背面表示パネル１２４とを有する。液晶パネル１２１は、ドットマトリクス方式の液晶表示器である。上面表示パネル１２２と、ファインダ内表示パネル１２３と、背面表示パネル１２４とは、セグメント方式の液晶表示器である。
【００１６】
次に、上面表示パネル１２２に表示される露出インジケータについて、図３〜図５を参照して説明する。図３に示すように、上面表示パネル１２２はセグメント方式の液晶表示器である。上面表示パネル１２２は露出インジケータ３０を有する。露出インジケータ３０はユーザが手動で設定したシャッタスピードと絞り値との組み合わせによる露出値と、測光装置１０５で検出した被写体の輝度に基づいて算出した適正露出値との差を表示する。
【００１７】
正負表示部３１，３２は、露出インジケータ３０のプラス方向およびマイナス方向を表示する。正負表示部３１，３２は、図３に示すように、横方向に長い１つのセグメント３１ａと縦方向に長い２つのセグメント３１ｂ，３１ｃとにより構成される。横方向に長いセグメント３１ａの中心を上下に挟むように、縦方向に長いセグメント３１ｂ，３１ｃは配置される。これにより、横方向に長いセグメント３１ａと縦方向に長いセグメント３１ｂ，３１ｃとを同時に表示することによって、正負表示部３１，３２は「＋」（プラス）を表示することができる。一方、横方向に長いセグメント３１ａのみを表示することによって、正負表示部３１，３２は「−」（マイナス）を表示することができる。
【００１８】
図４（ａ）に示すように、正負表示部３１にプラスを表示させ、正負表示部３２にマイナスを表示させることができるとともに、図４（ｂ）に示すように、正負表示部３１にマイナスを表示させ、正負表示部３２にプラスを表示させることができる。これにより、ユーザの見やすい方向に、露出インジケータ３０のプラス方向およびマイナス方向を設定することができる。
【００１９】
露出インジケータ３０に表示される表示内容について説明する。露出インジケータ３０は、露出インジケータ３０の正負表示部３１にプラスを表示させ、正負表示部３２にマイナスを表示させた場合について説明する。
【００２０】
手動で設定したシャッタスピードと絞り値との組合せによる露出値が、適正露出値より小さい場合（暗い場合）、図５（ａ）に示すように、ゼロ点３３を基準としてマイナス側のセグメントが表示される。手動で設定したシャッタスピードおよび絞り値との組合せによる露出値と適正露出値との差が大きくなると、マイナス側に表示されるセグメントの数が多くなる。一方、手動で設定したシャッタスピードと絞り値との組合せによる露出値が適正露出値より大きい場合（明るい場合）、図５（ｂ）に示すように、ゼロ点３３を基準としてプラス側のセグメントが表示される。手動で設定したシャッタスピードおよび絞り値との組合せによる露出値と適正露出値との差が大きくなると、プラス側に表示されるセグメントの数が多くなる。手動で設定したシャッタスピードと絞り値との組合せによる露出値が適正露出値に等しい場合、図５（ｃ）に示すように、ゼロ点３３のセグメントのみが表示される。このときのシャッタスピードと絞り値で撮影を行うと、適切な露出で被写体を撮影することができる。
【００２１】
手動で露出補正をした場合、マイナス補正を行うと、図５（ａ）に示すように、ゼロ点３３を基準としてマイナス側のセグメントが表示される。一方、プラス補正を行うと、図５（ｂ）に示すように、ゼロ点３３を基準としてプラス側のセグメントが表示される。露出補正量を大きくすると、表示されるセグメント数が多くなる。
【００２２】
次に、ファインダ内表示パネル１２３に表示される露出インジケータについて、図６および図７を参照して説明する。図６に示すように、ファインダ内表示パネル１２３はセグメント型の液晶表示器である。ファインダ内表示パネル１２３には、露出インジケータ４０が表示される。露出インジケータ４０の表示内容は、上面表示パネル１２２の露出インジケータ３０と同様である
【００２３】
露出インジケータ４０のプラス方向およびマイナス方向を表示する正負表示部４１，４２は、図６に示すように、横方向に長い２つのセグメント４１ｂ，４１ｄと縦方向に長い２つのセグメント４１ａ，４１ｃとにより構成される。横方向に長い２つのセグメント４１ｂ，４１ｄおよび縦方向に長い２つのセグメント４１ａ，４１ｃは、それぞれ直線上に配置される。そして、横方向に長い２つのセグメント４１ｂ，４１ｄの間と、縦方向に長い２つのセグメント４１ａ，４１ｃの間とが共通するように、それぞれのセグメントは配置される。これにより、横方向に長い２つのセグメント４１ｂ，４１ｄと縦方向に長い２つのセグメント４１ａ，４１ｃとを同時に表示することによって、正負表示部４１，４２を「＋」（プラス）に表示することができる。一方、２つの横方向に長いセグメント４１ｂ，４１ｄのみを表示することによって、正負表示部４１，４２を「−」（マイナス）に表示することができる。
【００２４】
図７（ａ）に示すように、正負表示部４１にプラスを表示させ、正負表示部４２にマイナスを表示させることができるとともに、図７（ｂ）に示すように、正負表示部４１にマイナスを表示させ、正負表示部４２にプラスを表示させることができる。これにより、ユーザの見やすい方向に、露出インジケータ４０のプラス方向およびマイナス方向を設定することができる。
【００２５】
インジケータ３０，４０における正負表示部３１，３２，４１，４２の変更操作について、図８を参照して説明する。インジケータ３０，４０における正負表示部３１，３２，４１，４２の変更操作は、液晶モニタ１２１に表示されるメニューを使用して行われる。
【００２６】
メニューボタン１０３Ｂを押圧して液晶モニタ１２１に不図示の設定メニューを表示させた後、カスタムメニューを選択し、インジケータの設定を選択する。液晶モニタ１２１には、図８（ａ）に示すように、インジケータの設定を行う表示器を選択するメニューが表示される。たとえば、上面表示パネル１２２における露出インジケータ３０の設定を変更する場合、マルチセレクタ１０３Ａを操作して、図８（ａ）に示すように、「上面表示パネル」を選択する。液晶モニタ１２１には、図８（ｂ）に示すように、正負表示部３１，３２のプラス方向を設定する設定メニューが表示される。２つの正負表示部３１ａ，３２のうち、正負表示部３１をプラスに設定し、正負表示部３２をマイナスに設定する場合、図８（ｂ）に示すように、「左側をプラス」を選択する。
【００２７】
一方、ファインダ内表示パネル１２３における露出インジケータ４０の設定を変更する場合、図８（ｃ）に示すように、インジケータの設定を行う表示器の中から「ファインダ内表示パネル」を選択する。液晶モニタ１２１には、図８（ｄ）に示すように、正負表示部４１，４２のプラス方向を設定する設定メニューが表示される。２つの正負表示部４１ａ，４２のうち、正負表示部４１をプラスに設定し、正負表示部４２をマイナスに設定する場合、図８（ｄ）に示すように、「左側をプラス」を選択する。
【００２８】
以上説明した第１の実施形態によれば、次の作用効果が得られる。
（１）撮像装置１Ａの露出インジケータ３０，４０において、プラス方向およびマイナス方向の向きを変更することができる。したがって、ユーザの好みにあったプラス方向およびマイナス方向の向きで露出インジケータ３０，４０を表示することができる。
【００２９】
（２）セグメント方式の液晶表示器である上面表示パネル１２２に表示される正負表示部３１，３２を３セグメント３１ａ〜３１ｃで表示するようにした。そして、３つのセグメント３１ａ〜３１ｃでプラスを表示し、１つのセグメント３１ａでマイナスを表示するようにした。これにより、正負表示部３１，３２は、プラスとマイナスのどちらも表示できるようになり、露出インジケータ３０のプラス方向およびマイナス方向の向きを変更することが可能となる。また、正負表示部３１，３２のセグメント数を１つ増やすと配線が１つ増え、製造コストが高くなるが、３セグメントで正負表示部３１，３２をプラスとマイナスのどちらも表示できるようになるので、製造コストは高くならない。
【００３０】
−第２の実施形態−
以下、図面を参照して本発明の第２の実施形態について説明する。第１の実施形態と同様な構成部分については同一の符号を付し、第１の実施形態と異なる部分を主に説明する。
【００３１】
図９は、撮像装置１Ｂの構成を説明するブロック図である。撮像装置１Ｂは、第１の実施形態における撮像装置１Ａと、姿勢センサ１０６を有する点で異なる。姿勢センサ１０６は、傾斜センサやジャイロセンサなどからなり、撮像装置１Ｂの姿勢を検出する。制御回路１０１は、姿勢センサ１０６の出力に基づいて、撮像装置１Ｂが横位置であるか縦位置であるかを認識する。横位置とは、撮像装置１Ｂを背面から見た形状の長手方向を横にする位置をいう。縦位置とは、撮像装置１Ｂを背面から見た形状の長手方向を縦にする位置をいう。撮像装置１Ｂは、横位置か縦位置かによって、ファインダ内表示パネル１２３に表示される露出インジケータ４０の表示を変更することができる。
【００３２】
図１０（ａ）に示すように、撮像装置１Ｂが横位置の場合、ファインダ内表示パネル１２３に表示される露出インジケータ４０は、図１０（ｂ）のように表示される。つまり、４つのセグメント４１ａ〜４１ｄを表示することによって、正負表示部４１を「＋」（プラス）に表示し、２つの横方向に長い２つのセグメント４１ｂ，４１ｄのみを表示することによって、正負表示部４２を「−」（マイナス）に表示する。
【００３３】
図１１（ａ）に示すように、撮像装置１Ｂが縦位置の場合、図１０（ｂ）の表示で露出インジケータ４０をそのまま表示すると、露出インジケータ４０の下方側がプラス側になり、露出インジケータ４０の表示に対してユーザは違和感を覚える。また、正負表示部４２のマイナスを表す「−」の表示が、「｜」に見え、この表示に対してもユーザは違和感を覚える。
【００３４】
そこで、撮像装置１Ｂでは、撮像装置１Ｂが縦位置に場合、ファインダ内表示パネル１２３に表示される露出インジケータ４０は、図１１（ｂ）のように表示される。つまり、４つのセグメント４１ａ〜４１ｄを表示することによって、正負表示部４２を「＋」（プラス）に表示し、２つのセグメント４１ａ，４１ｃのみを表示することによって、正負表示部４１を「−」（マイナス）に表示する。これにより、露出インジケータ４０の上方側がプラス側になり、正負表示部４１の表示もマイナスを表す「−」に見え、露出インジケータ４０の表示に対してユーザは違和感を覚えることはない。
【００３５】
次に、インジケータ４０における正負表示部４１，４２の縦位置横位置設定操作について、図１２を参照して説明する。メニューボタン１０３Ｂを押圧して液晶モニタ１２１に不図示の設定メニューを表示させた後、カスタムメニューを選択し、インジケータの設定を選択する。液晶モニタ１２１には、図１２（ａ）に示すように、インジケータの設定を行う表示器を選択するメニューが表示される。
【００３６】
ファインダ内表示パネル１２３における露出インジケータ４０の設定を変更する場合、図１２（ａ）に示すように、「ファインダ内表示パネル」を選択する。液晶モニタ１２１には、図１２（ｂ）に示すように、撮像装置１Ｂが横位置の場合の設定と縦位置の場合の設定とを選択する選択メニューが表示される。撮像装置１Ｂが縦位置の場合のインジケータ４０の表示を設定する場合、図１２（ｂ）に示すように、「縦位置」を選択する。
【００３７】
液晶モニタ１２１には、図１２（ｃ）に示すように、撮像装置１Ｂを縦位置にした場合のインジケータ４０の上をプラスにするか下をプラスにするかの設定メニューが表示される。インジケータ４０の上をプラスにする場合は、図１２（ｃ）に示すように、「上をプラス」を選択する。
【００３８】
撮像装置１Ｂが横位置の場合のインジケータ４０の表示を設定する場合、図１２（ｂ）の選択メニューで「横位置」を選択する。そして、インジケータ４０の左をプラスにする場合は、図１２（ｄ）に示すように、「左をプラス」を選択する。
【００３９】
次に、本発明の実施形態のファインダ内表示パネル１２３における露出インジケータ４０の露出インジケータ表示制御処理について、図１３のフローチャートを参照して説明する。図１３の処理は、撮像装置１Ｂの電源がオンされるとスタートするプログラムにより制御回路１０１において実行される。
【００４０】
ステップＳ１３０１では、姿勢センサ１０６から出力される信号に基づいて、撮像装置１Ｂが縦位置か横位置かを判定する。撮像装置１Ｂが縦位置の場合はステップＳ１３０２に進む。撮像装置１Ｂが縦位置の場合はステップＳ１３０３に進む。ステップＳ１３０２では、ファインダ内表示パネル１２３における露出インジケータ４０の正負表示部４１，４２を、液晶モニタ１２１に表示されるメニューから設定した横位置の設定で表示する。ステップＳ１３０３では、ファインダ内表示パネル１２３における露出インジケータ４０の正負表示部４１，４２を、液晶モニタ１２１に表示されるメニューから設定した縦位置の設定で表示する。
【００４１】
以上説明した第２の実施形態によれば、次の作用効果が得られる。
（１）姿勢センサ１０６が検出した撮像装置１Ｂの姿勢に基づいて、露出インジケータ４０のプラス方向およびマイナス方向の向きを変更するようにした。したがって、撮像装置１Ｂを縦位置にしたとき、露出インジケータ４０のプラス側が下方側になり、露出インジケータ４０の表示に対してユーザが違和感を覚えるということがない。
【００４２】
（２）姿勢センサ１０６が検出した撮像装置１Ｂの姿勢に基づいて、プラス方向およびマイナス方向の向きを変更する露出インジケータ４０の正負表示部４１，４２を４セグメント４１ａ〜４１ｄで表示するようにした。そして、４つのセグメント４１ａ〜４１ｄでプラスを表示し、２つのセグメント４１ｂ，４１ｄでマイナスを表示し、２つのセグメント４１ａ，４１ｃで縦棒を表示するようにした。これにより、撮像装置１Ｂを縦位置にしたとき、正負表示部４１，４２のマイナス表示が縦棒表示になるのを防止することができ、露出インジケータ４０の表示に対してユーザが違和感を覚えることはない。
【００４３】
以上の実施の形態を次のように変形することができる。
（１）上面表示パネル１２２およびファインダ内表示パネル１２３がセグメント方式の液晶表示器であったが、液晶表示器の表示方式は実施形態に限定されない。たとえば、上面表示パネル１２２およびファインダ内表示パネル１２３をドットマトリクス方式の液晶表示器にしてもよい。
【００４４】
（２）第２の実施形態の撮像装置１Ｂが縦位置であるか横位置であるかによって露出インジケータの向きを変える液晶表示器は、撮像装置１Ｂの撮影レンズ１１１Ａへの入射光軸に垂直な面内に設けられた表示器であれば実施形態に限定されない。たとえば、液晶モニタ１２１や背面表示パネル１２４に露出インジケータを表示する場合、撮像装置１Ｂが縦位置であるか横位置であるかによって露出インジケータの向きを変えるようにしてもよい。撮像装置１Ｂの光軸の垂直な面内に設けられた表示器であれば、撮像装置１Ｂを縦位置にしたとき、プラス側が露出インジケータの下方側になり、露出インジケータの表示に対してユーザが違和感を覚える場合があるからである。
【００４５】
また、撮像装置１Ｂに設けられた複数の液晶表示器のうち、撮影レンズ１１１Ａへの入射光軸に垂直な面内に設けられた液晶表示器について、撮像装置１Ｂが縦位置であるか横位置であるかによって露出インジケータの向きを変え、撮影レンズ１１１Ａへの入射光軸の垂直な面内に設けられていない液晶表示器（たとえば、上面表示パネル１２２）について、撮像装置１Ｂが縦位置であるか横位置であるかによっても露出インジケータの向きを変えないようにしてもよい。撮像装置１Ｂを縦位置にして、撮影レンズ１１１Ａへの入射光軸の垂直な面内に設けられていない液晶表示器をユーザが縦位置のままで視認する可能性が少ないからである。
【００４６】
（３）正負表示部を４セグメントで表示する液晶表示器は、撮像装置１Ｂの撮影レンズ１１１Ａへの入射光軸に垂直な面内に設けられた表示器であれば実施形態に限定されない。たとえば、液晶モニタ１２１や背面表示パネル１２４に露出インジケータの正負表示部を４セグメントで表示するようにしてもよい。撮像装置１Ｂの光軸の垂直な面内に設けられた表示器であれば、撮像装置１Ｂを縦位置にしたとき、マイナスを表す「−」の表示が、「｜」になり、露出インジケータの表示に対してユーザが違和感を覚える場合があるからである。
【００４７】
また、撮像装置１Ｂに設けられた複数の液晶表示器のうち、撮影レンズ１１１Ａへの入射光軸に垂直な面内に設けられた液晶表示器について、正負表示部を４セグメントで表示し、撮影レンズ１１１Ａへの入射光軸に対して垂直な面内に設けられていない液晶表示器について、正負表示部を３セグメントで表示するようにしてもよい。撮像装置１Ｂを縦位置にして、撮影レンズ１１１Ａへの入射光軸に対して垂直な面内に設けられていない液晶表示器をユーザが視認することはないからである。
【００４８】
（４）第１の実施形態の撮像装置１Ａでは、上面表示パネル１２２に表示される露出インジケータ３０の設定と、ファインダ内表示パネル１２３に表示される露出インジケータ４０の設定とを個別に行った。しかし、上面表示パネル１２２に表示される露出インジケータ３０の設定と、ファインダ内表示パネル１２３に表示される露出インジケータ４０の設定とを連動して設定できるようにしてもよい。
【００４９】
たとえば、上面表示パネル１２２に表示される露出インジケータ３０の左側をプラスに設定すると、自動的にファインダ内表示パネル１２３に表示される露出インジケータ４０の左側がプラスに設定されるようにしてもよい。１つの露出インジケータ３０の設定で、他の露出インジケータ４０の設定も行うことができ、撮像装置１Ａの利便性が向上する。また、表示器ごとに露出インジケータ３０，４０のプラス方向およびマイナス方向が異なると、プラス方向およびマイナス方向を見間違える原因ともなるので、露出インジケータ３０，４０のプラス方向およびマイナス方向の見間違えを防止することができる。
【００５０】
（５）ファインダ内表示パネル１２３の露出インジケータ４０は、撮像装置１Ｂが横位置のとき、プラスおよびマイナス方向が横方向であった。しかし、図１４（ａ），（ｂ）に示すように、ファインダ内表示パネル１２３の露出インジケータ４０Ａを、撮像装置１Ｂが横位置のとき、プラスおよびマイナス方向が縦方向になるようにしてもよい。
【００５１】
この場合も、撮像装置１Ｂが横位置のときの正負表示部４１Ａ，４２Ａの表示および撮像装置１Ｂが横位置のときの正負表示部４１Ａ，４２Ａの表示を設定できるようにする。これにより、図１５（ａ），（ｂ）に示すように、撮像装置１Ｂを縦位置にしたとき、ユーザの好みにあったプラス方向およびマイナス方向で露出インジケータ４０Ａを表示することができる。
【００５２】
（６）撮像装置１Ａ，１Ｂの設定に係る設定量の度合いを認識するための指標を示す指標表示部であれば、本発明の実施形態は、露出インジケータ３０，４０に限定されない。また、指標の向きを表すものであれば、プラスおよびマイナスを表示する正負表示部３１，３２，４１，４２に限定されない。
【００５３】
たとえば、プログラム等の自動露出撮影モードでの露出補正のインジケータや、図１６（ａ），（ｂ）に示すように、撮像装置１Ａ，１Ｂの広角、望遠を表示するズーム表示５０でもよい。ズーム表示５０は、撮像装置１Ａ，１Ｂの広角、望遠の設定量の指標を、バー５３の長さで表示する。ズーム表示５０の左右には広角望遠表示部５１，５２が表示される。広角望遠表示部５１，５２は、ズーム表示５０における広角望遠の向きを表示する。
【００５４】
図１６（ａ）に示すように、右側の広角望遠表示部５１に広角を示す「Ｗ」を表示し、左側の広角望遠表示部５２に望遠を示す「Ｔ」を表示することによって、バー５３が延びると望遠側に設定されることをユーザは認識することができる。一方、図１６（ａ）に示すように、右側の広角望遠表示部５１に「Ｔ」を表示し、左側の広角望遠表示部５２に「Ｗ」を表示することによって、バー５３が延びると広角側に設定されることをユーザは認識することができる。ユーザの操作によって、広角望遠表示部５１，５２の表示を「Ｗ」と「Ｔ」との間で切り替えるようにすることによって、ユーザの好みにあった広角、望遠の向きでズーム表示５０を表示させることができる。
【００５５】
以上の説明はあくまで一例であり、本発明は上記実施形態の構成に何ら限定されるものではない。
【図面の簡単な説明】
【００５６】
【図１】本発明の一実施の形態による撮像装置の外観図である。
【図２】第１の実施形態における撮像装置の構成を説明するブロック図である。
【図３】上面表示液晶パネルに表示される露出インジケータを説明するための図である。
【図４】上面表示液晶パネルに表示される露出インジケータの向きの変更を説明するための図である。
【図５】露出インジケータの表示内容を説明するための図である。
【図６】ファインダ内表示パネルに表示される露出インジケータを説明するための図である。
【図７】ファインダ内表示パネルに表示される露出インジケータの向きの変更を説明するための図である。
【図８】第１の実施形態における露出インジケータの表示設定の設定操作を説明するための図である。
【図９】第２の実施形態における撮像装置の構成を説明するブロック図である。
【図１０】撮像装置が横位置のときのファインダ内表示パネルに表示される露出インジケータを説明するための図である。
【図１１】撮像装置が縦位置のときのファインダ内表示パネルに表示される露出インジケータを説明するための図である。
【図１２】第２の実施形態における露出インジケータの表示設定の設定操作を説明するための図である。
【図１３】本発明の第２の実施形態における露出インジケータ表示制御処理を説明するためのフローチャートである。
【図１４】撮像装置が横位置のときのファインダ内表示パネルに表示される露出インジケータの変形例を説明するための図である。
【図１５】撮像装置が縦位置のときのファインダ内表示パネルに表示される露出インジケータの変形例を説明するための図である。
【図１６】本発明の実施形態の変形例におけるズーム表示を説明するための図である。
【符号の説明】
【００５７】
１Ａ，１Ｂ  撮像装置
３０，４０，４０Ａ  露出インジケータ
３１，３２，４１，４１Ａ，４２，４２Ａ  正負表示部
３１ａ〜３１ｃ  ４１ａ〜４１ｄ  セグメント
５０  ズーム表示
５１，５２  広域望遠表示部
１０１  制御回路
１０１Ａ  ＣＰＵ
１１１Ａ  撮影レンズ
１２１  液晶モニタ
１２２  上面表示パネル
１２３  ファインダ内表示パネル
１２４  背面表示パネル
【図１】
2009014835.tif 000003
【図２】
2009014835.tif 000004
【図３】
2009014835.tif 000005
【図４】
2009014835.tif 000006
【図５】
2009014835.tif 000007
【図６】
2009014835.tif 000008
【図７】
2009014835.tif 000009
【図８】
2009014835.tif 000010
【図９】
2009014835.tif 000011
【図１０】
2009014835.tif 000012
【図１１】
2009014835.tif 000013
【図１２】
2009014835.tif 000014
【図１３】
2009014835.tif 000015
【図１４】
2009014835.tif 000016
【図１５】
2009014835.tif 000017
【図１６】
2009014835.tif 000018